(57)【要約】【課題】パケットの伝送時に外来ノイズなどがヘッダ領域内の信号に混入しても、出力装置から出力される画像が乱れ難い画像伝送システムを提供する。【解決手段】送信装置４は、画像信号Ｃと垂直同期信号Ｂおよび水平同期信号Ａからなる同期信号Ａ，Ｂとをパケットに変換して受信装置５に送信する。送信装置４は、１フレーム分の画像信号Ｃを分割して各パケットのデータ領域Ｄに割り当てるとともに、１フレーム毎に垂直同期信号Ｂが送信されかつ１ライン毎に水平同期信号Ａが送信されるように同期信号Ａ，Ｂを各パケットのヘッダ領域Ｈに割り当てるパケット化手段を有し、パケット化手段は、１フレーム毎に垂直同期信号Ｂを複数回連続して送信させる垂直同期信号反復手段を有する。【選択図】図１
2006295835.tif 000002
【特許請求の範囲】
【請求項１】
対象となる領域を撮影することにより得られた画像の画像信号と垂直同期信号および水平同期信号からなる同期信号とを出力する撮像装置と、撮像装置からの画像信号と同期信号とをパケットに変換して送信する送信装置と、送信装置から伝送路を介してパケットを受信し当該パケットから画像信号と同期信号とを再生する受信装置と、受信装置から画像信号と同期信号とを受けて画像を出力する出力装置とを備え、送信装置は、１フレーム分の画像信号を分割して各パケットのデータ領域に割り当てるとともに、１フレーム毎に垂直同期信号が送信されかつ１ライン毎に水平同期信号が送信されるように同期信号を各パケットにおいてデータ領域の前に設けられたヘッダ領域に割り当てるパケット化手段を有し、パケット化手段は、１フレーム毎に垂直同期信号を複数回連続して送信させる垂直同期反復手段と、１フレームのうちの少なくとも１ラインにおいて水平同期信号を複数回連続して送信させる水平同期反復手段との少なくとも一方を有することを特徴とする画像伝送システム。
【請求項２】
前記パケット化手段は、所定のラインの画像信号が割り当てられたパケットから少なくとも一部の画像信号を間引く間引き手段を有し、前記垂直同期反復手段および前記水平同期反復手段は、間引き手段により画像信号が間引かれたパケットにおいて同期信号が複数回繰り返されるように、間引き手段により画像信号が間引かれた部分に同期信号を挿入することを特徴とする請求項１記載の画像伝送システム。
【請求項３】
対象となる領域を撮影することにより得られた画像の画像信号と垂直同期信号および水平同期信号からなる同期信号とを出力する撮像装置と、撮像装置からの画像信号と同期信号とをパケットに変換して送信する送信装置と、送信装置から伝送路を介してパケットを受信し当該パケットから画像信号と同期信号とを再生する受信装置と、受信装置から画像信号と同期信号とを受けて画像を出力する出力装置とを備え、送信装置は、１フレーム分の画像信号を分割して各パケットのデータ領域に割り当てるとともに、１フレーム毎に垂直同期信号が送信されかつ１ライン毎に水平同期信号が送信されるように同期信号を各パケットにおいてデータ領域の前に設けられたヘッダ領域に割り当てるパケット化手段を有し、パケット化手段は、各パケット内の画像信号の１フレームにおける位置を示す位置情報を各パケットのヘッダ領域に付与する位置情報付与手段を有することを特徴とする画像伝送システム。
【請求項４】
前記送信装置は、前記データ領域内の信号を変調するデータ領域変調手段と、前記ヘッダ領域内の信号を変調するヘッダ領域変調手段とを有し、前記受信装置は、受信したパケット内の信号を復調する復調手段を有し、ヘッダ領域変調手段には、データ領域変調手段に比べてエラー耐性に優れた変調方式を採用していることを特徴とする請求項１ないし請求項３のいずれか１項に記載の画像伝送システム。
【発明の詳細な説明】
【技術分野】
【０００１】
本発明は、撮影した画像の画像信号と垂直同期信号および水平同期信号とを送信装置から伝送路を介して受信装置に伝送し画像を出力させる画像伝送システムに関するものである。
【背景技術】
【０００２】
この種の画像伝送システムとして、たとえば玄関子器に設けた撮像カメラ（撮像装置）で訪問者を撮影し、居室内に設けた親機の表示装置（出力装置）によって撮像カメラで撮影された画像を出力するインターホンシステムが知られている。玄関子器には撮像カメラで撮影された画像の画像信号と垂直同期信号および水平同期信号（以下では垂直同期信号および水平同期信号をまとめて「同期信号」という）とを親機に伝送するための送信装置が設けられており、親機には玄関子器から伝送路を介して画像信号と同期信号とを受信する受信装置が設けられている。このインターホンシステムでは、平衡線路からなるインターホン線が伝送路として用いられる（たとえば特許文献１参照）。
【０００３】
ところで、上述したような画像伝送システムにおいて、図７に示すように、画像信号Ｃおよび同期信号Ａ，Ｂをパケットに変換して伝送するものが考えられている。図７では、１ライン分の画像信号Ｃが各パケットのデータ領域Ｄにそれぞれ割り当てられ、同期信号Ａ，Ｂが各パケットのデータ領域Ｄの前に設けられたヘッダ領域Ｈにそれぞれ割り当てられている。同期信号Ａ，Ｂは、１フレーム毎に垂直同期信号Ｂが１回送信され、かつ１ライン毎に水平同期信号Ａが１回送信されるように、各パケットにそれぞれ割り当てられる。
【特許文献１】特開２００３−２４４６８６号公報（第４頁）
【発明の開示】
【発明が解決しようとする課題】
【０００４】
しかしながら、上述した画像伝送システムでは、パケットの伝送時に外来ノイズなどがヘッダ領域Ｈ内の信号に混入することにより、受信装置５において、ヘッダ領域Ｈ内の同期信号Ａ，Ｂが識別されず同期信号Ａ，Ｂが欠落してしまうことがある。同期信号Ａ，Ｂが欠落すると、同期信号Ａ，Ｂが欠落したパケット内の画像信号Ｃの画像を画面内の正常な位置に出力できず、表示装置６の画像が乱れてしまうおそれがある。また、同期信号Ａ，Ｂが欠落したパケット分の画像が出力されなかった場合には、その後に出力される画像が画面内の正常な位置からずれることにより、表示装置６の画像が乱れてしまうこともある。
【０００５】
本発明は上記事由に鑑みてなされたものであって、パケットの伝送時に外来ノイズなどがヘッダ領域内の信号に混入しても、出力装置から出力される画像が乱れ難い画像伝送システムを提供することを目的とする。
【課題を解決するための手段】
【０００６】
請求項１の発明では、対象となる領域を撮影することにより得られた画像の画像信号と垂直同期信号および水平同期信号からなる同期信号とを出力する撮像装置と、撮像装置からの画像信号と同期信号とをパケットに変換して送信する送信装置と、送信装置から伝送路を介してパケットを受信し当該パケットから画像信号と同期信号とを再生する受信装置と、受信装置から画像信号と同期信号とを受けて画像を出力する出力装置とを備え、送信装置は、１フレーム分の画像信号を分割して各パケットのデータ領域に割り当てるとともに、１フレーム毎に垂直同期信号が送信されかつ１ライン毎に水平同期信号が送信されるように同期信号を各パケットにおいてデータ領域の前に設けられたヘッダ領域に割り当てるパケット化手段を有し、パケット化手段は、１フレーム毎に垂直同期信号を複数回連続して送信させる垂直同期反復手段と、１フレームのうちの少なくとも１ラインにおいて水平同期信号を複数回連続して送信させる水平同期反復手段との少なくとも一方を有することを特徴とする。
【０００７】
この構成によれば、パケットの伝送時に外来ノイズなどがヘッダ領域内の信号に混入しても、複数回送信される同期信号のうちの一部の同期信号だけでも正常に伝送されれば、同期信号が欠落したとしても受信装置において他の同期信号を識別することができ、出力装置から出力される画像が乱れ難いという利点がある。
【０００８】
請求項２の発明は、請求項１の発明において、前記パケット化手段が、所定のラインの画像信号が割り当てられたパケットから少なくとも一部の画像信号を間引く間引き手段を有し、前記垂直同期反復手段および前記水平同期反復手段が、間引き手段により画像信号が間引かれたパケットにおいて同期信号が複数回繰り返されるように、間引き手段により画像信号が間引かれた部分に同期信号を挿入することを特徴とする。
【０００９】
この構成によれば、パケットの少なくとも一部の画像信号を同期信号に置き換えることにより、同期信号が複数回送信されるようにしたものであるから、同期信号を複数回送信しても送信装置から受信装置に伝送される総データ量が増加することはない。
【００１０】
請求項３の発明では、対象となる領域を撮影することにより得られた画像の画像信号と垂直同期信号および水平同期信号からなる同期信号とを出力する撮像装置と、撮像装置からの画像信号と同期信号とをパケットに変換して送信する送信装置と、送信装置から伝送路を介してパケットを受信し当該パケットから画像信号と同期信号とを再生する受信装置と、受信装置から画像信号と同期信号とを受けて画像を出力する出力装置とを備え、送信装置は、１フレーム分の画像信号を分割して各パケットのデータ領域に割り当てるとともに、１フレーム毎に垂直同期信号が送信されかつ１ライン毎に水平同期信号が送信されるように同期信号を各パケットにおいてデータ領域の前に設けられたヘッダ領域に割り当てるパケット化手段を有し、パケット化手段は、各パケット内の画像信号の１フレームにおける位置を示す位置情報を各パケットのヘッダ領域に付与する位置情報付与手段を有することを特徴とする。
【００１１】
この構成によれば、パケットの伝送時に外来ノイズなどがヘッダ領域内の信号に混入し、受信装置において同期信号が識別されずに欠落してしまったとしても、同期信号が欠落したパケット分の画像の後に出力される画像を位置情報に基づいて画面内の正常な位置に出力することができるので、出力装置から出力される画像が乱れ難いという利点がある。
【００１２】
請求項４の発明は、請求項１ないし請求項３の発明において、前記送信装置が、前記データ領域内の信号を変調するデータ領域変調手段と、前記ヘッダ領域内の信号を変調するヘッダ領域変調手段とを有し、前記受信装置が、受信したパケット内の信号を復調する復調手段を有し、ヘッダ領域変調手段には、データ領域変調手段に比べてエラー耐性に優れた変調方式を採用していることを特徴とする。
【００１３】
この構成によれば、ヘッダ領域にはデータ領域よりもエラー耐性に優れた変調方式を採用しているので、ヘッダ領域内の同期信号には外来ノイズなどが混入し難く、受信装置において同期信号が欠落することによる画像の乱れの防止につながる。
【発明の効果】
【００１４】
本発明は、パケットの伝送時に外来ノイズなどがヘッダ領域内の信号に混入したとしても、出力装置から出力される画像が乱れ難いという利点がある。
【発明を実施するための最良の形態】
【００１５】
以下の各実施形態では、従来例において説明したようなインターホンシステムを画像伝送システムの例として本発明を説明するが、本発明はインターホンシステム以外の画像伝送システムにも適用することができる。
【００１６】
（実施形態１）
本実施形態の画像伝送システムは、図２に示すように、撮像カメラからなる撮像装置３および送信装置４を備えた玄関子器１と、居室内に設置され受信装置５および表示装置６（出力装置）を備えた親機２とを平衡線路からなる伝送路７（インターホン線）によって接続した構成を有する。送信装置４は、従来例でも説明したように、撮像装置３で撮影された画像の画像信号Ｃ（ここではＹＵＶ信号）と垂直同期信号Ｂおよび水平同期信号Ａ（以下では垂直同期信号および水平同期信号をまとめて「同期信号」という）とをパケットに変換し、伝送路７を介して受信装置５に伝送するものである。受信装置５は、受信したパケットから画像信号Ｃおよび同期信号Ａ，Ｂを再生し、表示装置６においては画像信号Ｃおよび同期信号Ａ，Ｂを受けて画像を表示（出力）する。ただし、画像信号Ｃは、ＹＵＶ信号ではなくＲＧＢ信号などであってもよい。
【００１７】
本実施形態では、撮像装置３および表示装置６は共にデジタル入出力インターフェースを備えており、撮像装置３から出力される信号および表示装置６に入力される信号にはデジタル信号を用いている。そして、送信装置４から受信装置５への伝送においてデジタルの多値変調やマルチキャリア方式を用いることにより、伝送帯域が比較的狭い伝送路７であっても、データ圧縮を行わずにリアルタイムで動画伝送を可能としている。
【００１８】
以下では送信装置４および受信装置５の構成を具体的に説明する。
【００１９】
送信装置４は、撮像装置３からの画像信号Ｃおよび同期信号Ａ，Ｂを受ける信号変換回路８と、信号変換回路８の後段に設けられたデジタル変調回路９と、デジタル変調回路９の後段に設けられ伝送路７を介して受信装置５に接続された送信回路１０とを有し、信号変換回路８において、画像信号Ｃおよび同期信号Ａ，Ｂをデジタル変調回路９のフォーマットに適合させるために、１ライン分の画像信号Ｃの先頭にそれぞれ水平同期信号Ａを付加し１フレーム分の画像信号Ｃの先頭にそれぞれ垂直同期信号Ｂを付加した形に画像信号Ｃと同期信号Ａ，Ｂとを組み合わせる。信号変換回路８で組み合わされた画像信号Ｃおよび同期信号Ａ，Ｂは、デジタル変調回路９において、パケットに変換されるとともにデジタル変調される。
【００２０】
ここで、従来例と同様に、１ライン分の画像信号Ｃが各パケットのデータ領域Ｄ（図１参照）に割り当てられ、同期信号Ａ，Ｂが各パケットのヘッダ領域Ｈ（図１参照）に割り当てられる。パケットのヘッダ領域にはパケットの同期をとるためのプリアンブル信号を付与する必要があるが、本実施形態では、同期信号Ａ，Ｂをプリアンブル信号に代用している。ただし、同期信号Ａ，Ｂには水平同期信号Ａと垂直同期信号Ｂとの２種類あるから、プリアンブル信号も２種類設定されることになる。また、プリアンブル信号を同期信号Ａ，Ｂとは別にヘッダ領域Ｈに付与するようにしてもよい。さらに、各パケットのデータ領域Ｄの後には誤り検出信号を有した検出領域（図示せず）が付加されている。検出領域には、誤り訂正機能を持った信号を付与してもよい。送信回路１０は、図１に示すように、これらのパケットを受信装置５に伝送する。
【００２１】
一方、受信装置５は、送信回路１０に対して伝送路７を介して接続された受信回路１１と、受信回路１１の後段に設けられたデジタル復調回路１２と、デジタル復調回路１２の後段に設けられ表示装置６に接続される信号変換回路１３とを有し、受信回路１１において送信回路１０からのパケットを受信する。デジタル復調回路１２は、受信したパケットをデジタル復調するとともに、１ライン分の画像信号Ｃの先頭にそれぞれ水平同期信号Ａを付加しかつ１フレーム分の画像信号Ｃの先頭にそれぞれ垂直同期信号Ｂを付加した形で画像信号Ｃおよび同期信号Ａ，Ｂを再生する。また、上述したように同期信号Ａ，Ｂをプリアンブル信号に代用しているので、デジタル変調信号のクロック再生にも同期信号Ａ，Ｂが用いられる。
【００２２】
信号変換回路１３は、表示装置６のインターフェースのフォーマットに適合する形式に画像信号Ｃおよび同期信号Ａ，Ｂを変換して出力する。本実施形態の信号変換回路１３には、水平同期信号Ａによって１ライン分の画像信号Ｃ毎に分割された形で１フレーム分の画像信号Ｃを蓄積するメモリ（図示せず）が設けられている。メモリ内の１フレームの先頭（つまり１ライン目の先頭）には垂直同期信号Ｂが付加されている。表示装置６は、水平同期信号Ａを受けて走査するラインを切り換えることにより１フレーム分の画像を表示し、垂直同期信号Ｂを受けてフレームを更新する。
【００２３】
また、図２では、画像信号Ｃおよび同期信号Ａ，Ｂをパケットに変換するパケット化手段としての機能をデジタル変調回路９に付与し、パケットから画像信号Ｃおよび同期信号Ａ，Ｂを再生する機能をデジタル復調回路１２に付与したが、この構成に限らず、送信装置４において画像信号Ｃおよび同期信号Ａ，Ｂがパケットに変換されて送信され、受信装置５においてパケットから画像信号Ｃおよび同期信号Ａ，Ｂが再生される構成であればよい。
【００２４】
ところで、本実施形態の画像伝送システムでは、図１に示すように、垂直同期信号Ｂを１フレーム毎に複数回連続して送信させる垂直同期反復手段がデジタル変調回路９に設けられている。デジタル変調回路９は、画像信号Ｃおよび同期信号Ａ，Ｂをパケットに変換する際に、パケットのヘッダ領域Ｈ内に垂直同期信号Ｂを複数繰り返し付与することにより、上述したように垂直同期信号Ｂを複数回連続して送信させるようにしている。
【００２５】
つまり、１フレーム分のパケットの構成を示した図３のように、垂直同期信号Ｂが割り当てられたパケットにおいては、ヘッダ領域Ｈ内に垂直同期信号Ｂが重複して複数存在することになる。受信装置５においては、パケットの伝送時にヘッダ領域Ｈ内の垂直同期信号Ｂに外来ノイズなどが混入しても、送信された複数の垂直同期信号Ｂのうちの１つでも再生できれば、垂直同期信号Ｂを欠落することはないから、表示装置６で表示される画像が乱れることはない。要するに、本実施形態の構成によれば、従来構成に比べて、パケットの伝送時に外来ノイズなどがヘッダ領域Ｈ内の信号に混入しても画像が乱れ難くなり、画像の品質の劣化を防止できるという効果を奏する。
【００２６】
本実施形態で垂直同期信号Ｂが確実に伝送されるように垂直同期信号Ｂを複数回送信させる垂直同期反復手段を採用しているのは、受信装置５において垂直同期信号Ｂが欠落すると、１フレーム分の画像を表示できないこともあって画面全体への影響が大きいという理由からであるが、水平同期信号Ａを１ラインにおいて複数回連続して送信させる水平同期反復手段を垂直同期反復手段に代えて採用してもよい。水平同期反復手段を採用した場合にも、垂直同期反復手段を採用した場合と同様に、従来構成に比べてパケットの伝送時に外来ノイズなどがヘッダ領域Ｈ内の信号に混入しても画像が乱れ難くなり、画像の品質の劣化を防止できるという効果が期待できる。垂直同期反復手段と水平同期反復手段との両方を採用してもよい。
【００２７】
なお、上述のように複数の垂直同期信号Ｂが割り当てられたパケットは、他のパケットよりもデータ長が長くなるので、本実施形態では、各パケット全体のデータ長が付与されたデータ長領域を全てのパケットにそれぞれ設け、受信装置５においてデータ長領域から得られたデータ長に基づいて各パケットの終点を知ることができるようにしてある。また、本実施形態では、１ライン分の画像信号Ｃを各パケットにそれぞれ割り当てているが、この構成に限らず、１フレームにおける複数ライン分の画像信号Ｃ、あるいは１ライン分に満たないたとえば１ラインの半分の画像信号Ｃを各パケットにそれぞれ割り当てるようにしてもよい。
【００２８】
（実施形態２）
本実施形態では、垂直同期信号Ｂを１フレーム毎に複数回連続して送信させる垂直同期反復手段と、水平同期信号Ａを１ライン当たり複数回連続して送信させる水平同期反復手段との両方を採用している。ただし、本実施形態の水平同期反復手段は、全てのラインについて水平同期信号Ａを繰り返すのではなく、図４に示すように、１フレームのうちの一部のラインについて水平同期信号Ａを繰り返す点が実施形態１とは相違する。つまり、Ｎライン（Ｎは１フレームのラインの総数よりも１つだけ小さい数を最大として適宜設定される）おきに水平同期信号Ａが複数回連続して送信されることになる。
【００２９】
仮に、全てのラインについて水平同期信号Ａを複数回ずつ送信すると、送信装置４から受信装置５に伝送される総データ量が大幅に増加し、データ領域Ｄの伝送帯域が大きく低下することになる。これに対して、本実施形態の構成によれば、１フレームのうちの一部のラインについて水平同期信号Ａを複数回送信するだけから、送信装置４から受信装置５に伝送される総データ量の増加を抑えることができ、画像信号Ｃの伝送に使用できる伝送帯域の低下を抑制することができる。たとえば、１ラインおきに水平同期信号Ａを複数回送信すると、全てのラインで水平同期信号Ａを複数回送信する場合に比べて、１フレームにおいて伝送される水平同期信号Ａの総数を半分程度に低減することができる。このように、本実施形態では、画像信号Ｃの伝送に使用するデータ領域Ｄの伝送帯域の低下を防ぎつつも、パケットの伝送時に外来ノイズなどがヘッダ領域Ｈ内の信号に混入しても画像が乱れ難いという効果が期待できる。その他の構成および機能は実施形態１と同様である。
【００３０】
（実施形態３）
本実施形態の画像伝送システムは、実施形態１の画像伝送システムにおいて、デジタル変調回路９が所定のパケットを間引く間引き手段（図示せず）を有し、間引き手段によりパケットを間引いた部分に、ヘッダ領域Ｈとデータ領域Ｄとにおいて同期信号Ａ，Ｂが複数回繰り返されたパケットを挿入するようにしたものである。
【００３１】
本実施形態では、図５に示すように、１ライン目の画像信号Ｃが割り当てられたパケットを間引いて、パケットを間引いた部分に、ヘッダ領域Ｈとデータ領域Ｄとにおいて複数の垂直同期信号Ｂが付与されたパケットを挿入しており、これにより、伝送される総データ量を増加させることなく、垂直同期信号Ｂを複数回連続して送信させることを可能としている。ここで、１フレームを構成する画像信号Ｃの一部（１ライン目の画像信号Ｃ）が欠落することになるが、画面全体においては１ライン目の画像が表示されないことの影響は比較的小さいので、１ライン目の画像信号Ｃが欠落することはここでは許容範囲とする。欠落した画像信号Ｃの画像の表示に関しては、何も表示しないようにしてもよく、あるいは隣接する別のラインから画像信号Ｃを複製しこの画像信号Ｃを用いて補完してもよい。
【００３２】
また、水平同期反復手段を採用する場合には、実施形態２で説明したように、Ｎラインおきに水平同期信号Ａを複数回連続して送信させる構成を適用することが望ましい。Ｎラインおきに水平同期信号Ａを複数回連続して送信させる構成では、間引き手段によりパケットが間引かれて欠落する画像信号ＣはＮラインおきになり、画面全体においては画像が欠落することの影響を比較的小さく抑えることができる。
【００３３】
本実施形態の構成によれば、画像信号Ｃが割り当てられたパケットを同期信号Ａ，Ｂが複数回繰り返されたパケットに置き換えることにより、同期信号Ａ，Ｂが複数回送信されるようにしたものであるから、送信装置４から受信装置５に伝送される総データ量を増加させることなく同期信号Ａ，Ｂを複数回送信させて、実施形態１と同様の効果が期待できる。その他の構成および機能は実施形態１と同様である。
【００３４】
（実施形態４）
本実施形態の画像伝送システムは、実施形態１の画像伝送システムにおいて、同期信号Ａ，Ｂを複数回連続して送信させるための垂直同期反復手段および水平同期反復手段を省略し、代わりに各パケット内の画像信号Ｃの１フレームにおける位置を示す位置情報を各パケットのヘッダ領域Ｈに付与する位置情報付与手段（図示せず）を設けたものである。この位置情報は、本実施形態では、図６に示すように、１フレーム内において何番目のラインであるかを表すライン番号（１ライン目であれば「１」、２ライン目であれば「２」）である。
【００３５】
従来構成では、受信装置５において一部のパケットの同期信号Ａ，Ｂが欠落した場合に、正常に伝送されたパケットの画像信号Ｃの画像が、本来表示されるべき正常なラインからずれて別のラインに表示されることがあったのに対して、本実施形態の構成によれば、パケット毎にライン番号が付与されており、単独のパケットからでもライン番号が明らかであるから、同期信号Ａ，Ｂが欠落したパケットの画像を飛ばして、正常に伝送されたパケットの画像信号Ｃの画像を正常な位置に表示することができる。
【００３６】
このように、本実施形態の構成によれば、パケットの伝送時に外来ノイズなどがヘッダ領域Ｈ内の同期信号Ａ，Ｂに混入することにより、受信装置５において一部の同期信号Ａ，Ｂが欠落し、同期信号Ａ，Ｂが欠落したパケット分の画像が出力されなかった場合にも、その後に出力される画像を位置情報に基づいて画面内の正常な位置に出力することができるので、従来構成に比べて、パケットの伝送時に外来ノイズなどがヘッダ領域Ｈ内の信号に混入しても画像が乱れ難くなり、画像の品質の劣化を防止できるという効果を奏する。また、図６では、同期信号Ａ，Ｂは各パケットにおいて１回ずつ付与されているが、上述した各実施形態のように、同期信号Ａ，Ｂを複数回連続して送信させる構成を合わせて適用してもよい。
【００３７】
なお、同期信号Ａ，Ｂが欠落したパケットの画像信号Ｃの画像に関しては、何も表示しないようにしてもよく、あるいは隣接する別のラインから画像信号Ｃを複製しこの画像信号Ｃを用いて補完してもよい。さらに、受信装置５のメモリの容量に余裕があって、メモリ内に更新前の１フレーム分の画像信号Ｃが残されている場合には、更新前の画像信号Ｃの画像を再度表示することもできる。その他の構成および機能は実施形態１と同様である。
【００３８】
（実施形態５）
本実施形態の画像伝送システムは、実施形態１の画像伝送システムにおいて、デジタル変調回路９が、ヘッダ領域Ｈ内の信号を変調するヘッダ領域変調手段と、データ領域Ｄ内の信号を変調するデータ領域変調手段とを有し、ヘッダ領域変調手段とデータ領域変調手段とで異なる変調方式を採用したものである。その他の構成および機能は実施形態１と同様である。
【００３９】
ところで、一般に伝送速度とエラー耐性との関係は相反しており、変調方式を変えることにより伝送速度を上げると、外来ノイズなどの影響により伝送エラーが発生し易くなる。逆に、伝送速度を下げれば、伝送エラーを発生し難くすることができ、エラー耐性を高めることができる。たとえば、近年のデジタル通信で一般的に用いられている変調方式で比較すると、ＢＰＳＫ、ＱＰＳＫ、１６ＱＡＭ、６４ＱＡＭ（ＰＳＫは搬送波の位相を変化させる方式、ＱＡＭは搬送波の振幅および位相を変化せる方式）の順に１シンボルで伝送可能なデータ量が増えるから、上述した順に伝送速度が速くなる。しかし、１シンボルで伝送可能なデータ量が増えると、信号間の間隔が狭くなるから、上述した順に外来ノイズなどの影響により伝送エラーが発生し易くなる。
【００４０】
そこで、本実施形態では、ヘッダ領域変調手段には伝送速度は遅くとも比較的エラー耐性に優れたＢＰＳＫを採用し、データ領域変調手段には伝送速度が速いＱＰＳＫを採用している。これにより、ヘッダ領域Ｈ内の信号に外来ノイズなどが混入することを防止しつつ、パケット全体としては伝送速度の低下を抑えることができる。なお、伝送する画像のサイズが大きい場合など、さらに伝送速度を上げる必要がある場合には、データ領域変調手段に１６ＱＡＭを採用する。
【００４１】
本実施形態の構成では、ヘッダ領域Ｈにはデータ領域Ｄよりもエラー耐性に優れた変調方式を採用しているので、受信装置５において同期信号Ａ，Ｂが欠落し難く、同期信号Ａ，Ｂが欠落することによる画像の乱れを防止することができる。また、この構成は実施形態１以外の各実施形態の画像伝送システムにも適用することができる。
【図面の簡単な説明】
【００４２】
【図１】本発明の実施形態１を示す動作説明図である。
【図２】同上の構成を示すブロック図である。
【図３】同上に用いる１フレーム分のパケットを示す説明図である。
【図４】本発明の実施形態２に用いる１フレーム分のパケットを示す説明図である。
【図５】本発明の実施形態３に用いる１フレーム分のパケットを示す説明図である。
【図６】本発明の実施形態４に用いる１フレーム分のパケットを示す説明図である。
【図７】従来例の動作説明図である。
【符号の説明】
【００４３】
３  撮像装置
４  送信装置
５  受信装置
６  表示装置（出力装置）
７  伝送路
Ａ  水平同期信号
Ｂ  垂直同期信号
Ｃ  画像信号
Ｄ  データ領域
Ｈ  ヘッダ領域
【図１】
2006295835.tif 000003
【図２】
2006295835.tif 000004
【図３】
2006295835.tif 000005
【図４】
2006295835.tif 000006
【図５】
2006295835.tif 000007
【図６】
2006295835.tif 000008
【図７】
2006295835.tif 000009